(57)【要約】インナパネル（１２）とインナハンドル装置（３）との接触を抑制する車両用ドア（Ｄ）を提供する。フロントドアは、アウタパネル（１１）と、インナパネル（１２）と、を有するドア本体（１）と、インナパネル（１２）に取り付けられるインナハンドル装置（３）と、インナパネル（１２）に設けられた作業孔（Ｈ１，Ｈ２）を車内側から塞ぐドアホールシール（２）と、を備え、インナハンドル装置（３）は、インナパネル（１２）に車内側から取り付けられる本体部（３１）と、本体部（３１）に対して回動可能に設置される操作ハンドル（３２）と、本体部（３１）からインナパネル（１２）側に延びる当接リブ（３４）と、を有し、車両内外方向においてインナパネル（１２）と当接リブ（３４）との間にドアホールシール（２）が介在する。
2015049903.tif 000002
【特許請求の範囲】
【請求項１】
アウタパネルと、インナパネルと、を有するドア本体と、
前記インナパネルに取り付けられるインナハンドル装置と、
前記インナパネルに設けられた作業孔を車内側から塞ぐドアホールシールと、を備え、
前記インナハンドル装置は、
前記インナパネルに車内側から取り付けられる本体部と、
前記本体部に対して回動可能に設置される操作ハンドルと、
前記本体部から前記インナパネル側に延びる当接リブと、を有し、
車両内外方向において前記インナパネルと前記当接リブとの間に、前記ドアホールシールが介在すること
を特徴とする車両用ドア。
【請求項２】
前記ドアホールシールは、遮音材を有し、
車両内外方向において前記インナパネルと前記当接リブとの間に、前記遮音材が介在すること
を特徴とする請求項１に記載の車両用ドア。
【請求項３】
前記インナパネルは、
前記作業孔の縁に沿って延び、当該縁よりも車内側に突出する補強ビードを有し、
前記当接リブは、車両内外方向において、前記ドアホールシールを介して前記補強ビードと対向していること
を特徴とする請求項１又は請求項２に記載の車両用ドア。
【請求項４】
前記本体部は、
前記操作ハンドルが設置され、車外側に凹む手入れ凹部と、
前記手入れ凹部の周縁から前記作業孔に向かって延びる延出部と、を有し、
前記当接リブは、前記延出部から前記インナパネル側に延びていること
を特徴とする請求項１から請求項３のいずれか一項に記載の車両用ドア。
【請求項５】
前記インナパネルに車内側から取り付けられるドアライニングを備え、
前記ドアライニングは、前記手入れ凹部を車内側に露出されるための孔部を有し、
前記延出部は、前記孔部の周縁付近に取り付けられるライニング取付部を有し、
前記当接リブは、前記ライニング取付部から前記インナパネル側に延びていること
を特徴とする請求項４に記載の車両用ドア。
【請求項６】
前記本体部は、前記インナパネルに取り付けられる二つのインナパネル取付部を備え、
前記操作ハンドルは、二つの前記インナパネル取付部を結ぶ直線よりも前記作業孔側に配置されること
を特徴とする請求項４又は請求項５に記載の車両用ドア。
【発明の詳細な説明】
【技術分野】
【０００１】
本発明は、インナハンドル装置を備える車両用ドアに関する。
【背景技術】
【０００２】
ドアライニングを介して車内側に露出するインナハンドル装置を備えた車両用ドアが知られている。インナハンドル装置は、乗員が車室に乗り込む（又は車外に出る）際に把持される操作ハンドルを有しており、インナパネルの所定位置に取り付けられる。【０００３】
例えば、特許文献１には、インナパネルにハンドルベースを取り付けるためのハンドル装置取付部と、ハンドル装置の長手方向の一端に設けられ、インナパネルに当接するドアパネル側端部と、を備える車両用ドア装置について記載されている。
なお、前記したハンドル装置取付部は、自身に設けられた締結孔にクリップが差し込まれることでインナパネルに締結される。一方、前記したドアパネル側端部は、インナパネルに当接することで、ハンドルベースの傾きを防止する機能を有している。
【先行技術文献】
【特許文献】
【０００４】
【特許文献１】国際公開第２０１２／１３７５５８号
【発明の概要】
【発明が解決しようとする課題】
【０００５】
特許文献１に記載の発明では、ドアパネル側端部がインナパネルに直接的に当接する構成になっている。そうすると、車両の振動に伴って車両用ドア装置が振動した場合、インナパネル側端部がインナパネルに当たって打音が発生したり、インナパネルの壁面が傷ついたりする可能性がある。【０００６】
そこで本発明は、インナパネルとインナハンドル装置との接触を抑制する車両用ドアを提供することを課題とする。
【課題を解決するための手段】
【０００７】
前記課題を解決するための手段として、本発明に係る車両用ドアは、アウタパネルと、インナパネルと、を有するドア本体と、前記インナパネルに取り付けられるインナハンドル装置と、前記インナパネルに設けられた作業孔を車内側から塞ぐドアホールシールと、を備え、前記インナハンドル装置は、前記インナパネルに車内側から取り付けられる本体部と、前記本体部に対して回動可能に設置される操作ハンドルと、前記本体部から前記インナパネル側に延びる当接リブと、を有し、車両内外方向において前記インナパネルと前記当接リブとの間に、前記ドアホールシールが介在することを特徴とする。【０００８】
このような構成によれば、ドアホールシールは、車両内外方向においてインナパネルと当接リブとの間に介在している。したがって、車両の振動等に伴いインナハンドル装置が振動した場合でも、ドアホールシールがクッションの役割を果たすため、インナパネルと当接リブとの接触が抑制される。【０００９】
その結果、インナパネルと当接リブとの直接的な接触に起因して打音が発生したり、インナパネルの壁面が傷付いたりすることを防止できる。また、ドアホールシールをインナパネルと当接リブとの間に介在させるように配置することで、打音等の抑制のために別部材を設ける場合と比較して、車両用ドアの部品点数を削減できる。【００１０】
また、前記車両用ドアにおいて、前記ドアホールシールは、遮音材を有し、車両内外方向において前記インナパネルと前記当接リブとの間に、前記遮音材が介在することが好ましい。【００１１】
このような構成によれば、音を吸収するために所定の厚さ・弾性を有する遮音材を当接リブとインナパネルとの間に介在させる。これによって、当接リブとインナパネルの直接的な接触に起因する打音や、インナパネルの壁面の傷付きを、より効果的に抑制できる。【００１２】
また、前記車両用ドアにおいて、前記インナパネルは、前記作業孔の縁に沿って延び、当該縁よりも車内側に突出する補強ビードを有し、前記当接リブは、車両内外方向において、前記ドアホールシールを介して前記補強ビードと対向していることが好ましい。【００１３】
このような構成によれば、作業孔の縁付近を補強ビードによって補強し、インナパネル全体の剛性を高めることができる。また、車両内外方向において補強ビードが当接リブに対向している。したがって、剛性の高い補強ビードによって当接リブからの力（車外側に向かう力）を受け止めるため、インナパネルの破損を防止できる。【００１４】
また、前記車両用ドアにおいて、前記本体部は、前記操作ハンドルが設置され、車外側に凹む手入れ凹部と、前記手入れ凹部の周縁から前記作業孔に向かって延びる延出部と、を有し、前記当接リブは、前記延出部から前記インナパネル側に延びていることが好ましい。【００１５】
このような構成によれば、延出部は、手入れ凹部の周縁から作業孔に向かって延びている。この延出部からインナパネル側に当接リブが延びる構成であるため、作業孔に対して当接リブが近接して配置される。したがって、作業孔に向かう方向とは異なる方向に延出部が延びている（つまり、当接リブが作業孔から遠くなる）場合と比較して、ドアホールシールを徒に大型化する必要がなくなる。【００１６】
また、前記車両用ドアにおいて、前記インナパネルに車内側から取り付けられるドアライニングを備え、前記ドアライニングは、前記手入れ凹部を車内側に露出されるための孔部を有し、前記延出部は、前記孔部の周縁付近に取り付けられるライニング取付部を有し、前記当接リブは、前記ライニング取付部から前記インナパネル側に延びていることが好ましい。【００１７】
このような構成によれば、ライニング取付部によって、インナハンドル装置にドアライニングが取り付けられる。これによって、ドアライニングとインナハンドル装置の間に隙間が発生しにくくなる。また、前記した延出部はライニング取付部を有し、このライニング取付部から当接リブがインナパネル側に延びている。したがって、延出部とライニング取付部とを別体で構成する場合と比較して、インナハンドル装置の構成を簡略化できる。【００１８】
また、前記車両用ドアにおいて、前記本体部は、前記インナパネルに取り付けられる二つのインナパネル取付部を備え、前記操作ハンドルは、二つの前記インナパネル取付部を結ぶ直線よりも前記作業孔側に配置されることが好ましい。【００１９】
このような構成によれば、本体部は、インナパネルに取り付けられる二つのインナパネル取付部を備えている。したがって、三つ以上のインナパネル取付部を設ける場合と比較して、インナハンドル装置の構成を簡略化し、製造コストを削減できる。
なお、操作ハンドルが回動された際、二つのインナパネル取付部を結ぶ直線を軸として、本体部を回転させる力が発生しやすくなる。つまり、本体部のうち、前記した直線よりも作業孔側の部位を車外側に回転させ、反対側の部位を車内側に回転させる力が発生しやすくなる。【００２０】
ここで、前記した直線よりも作業孔側に操作ハンドルが配置され、さらに、当接リブが設けられる延出部が手入れ凹部の周縁から作業孔に向かって延びている。これによって、インナパネルから当接リブに作用する抗力（車内側に向かう力）によって、本体部を回転させる力（車外側に向かう力）が打ち消される。したがって、インナパネルに対して本体部を安定かつ強固に固定できる。
【発明の効果】
【００２１】
本発明によれば、インナパネルとインナハンドル装置との接触を抑制する車両用ドアを提供できる。
【図面の簡単な説明】
【００２２】
【図１】本発明の一実施形態に係る車両用ドア（右側のフロントドア）を車内側から視た正面図である。
【図２】車両用ドアを左前方から見下ろした分解斜視図である。
【図３】ドアホールシールと、インナハンドル装置と、の位置関係を示す説明図である。
【図４】インナハンドル装置が設置されたインナパネルを車内側から視た正面図である。
【図５】図４においてインナハンドル装置付近を拡大した部分拡大図である。
【図６】インナハンドル装置を車外側から視た斜視図である。
【図７】図４に示すII−II矢視端面図である。
【発明を実施するための形態】
【００２３】
本発明を実施するための形態（以下、実施形態と記す）について、適宜図面を参照しながら詳細に説明する。
以下では、一例として、ヒンジ式ドアである右側のフロントドアＤ（車両用ドア）の構成について説明する。また、向きを説明する場合、車両が前進する向きを前方、鉛直上向きを上方とし、図２等に示すように上下・前後・左右を定義する。
また、フロントドアＤに対して左側を「車内側」、右側を「車外側」と記載し、これら「車内側」及び「車外側」を規定する方向を、「車両内外方向」と記すことがあるものとする。
【００２４】
≪実施形態≫
＜車両用ドアの構成＞
図１は、本実施形態に係る車両用ドア（右側のフロントドア）を車内側から視た正面図である。フロントドアＤは、車体（図示せず）に形成されたドア開口部（図示せず）に対し、ヒンジＫ１，Ｋ２を介して回動可能に設置されている。
フロントドアＤは、アウタパネル１１とインナパネル１２とを有するドア本体１と、インナパネル１２に設けられた作業孔Ｈ１，Ｈ２（図２参照）を車内側から塞ぐドアホールシール２（図２参照）と、インナパネル１２に取り付けられるインナハンドル装置３と、インナパネル１２の車内側に設置されるドアライニング４と、を備えている。
【００２５】
（ドア本体）
図２は、本実施形態に係る車両用ドアを左前方から見下ろした分解斜視図である。
ドア本体１は、フロントドアＤの骨格をなす枠体（図示せず）と、この枠体の車外側に設置されるアウタパネル１１と、枠体の車内側に設置されるインナパネル１２と、を有している。
【００２６】
アウタパネル１１は、ドア本体１の車外壁となる板状部材であり、例えば、圧延鋼板をプレス加工することで形成される。
インナパネル１２は、アウタパネル１１に溶接され、このアウタパネル１１に対して車内側に配置される板状部材である。インナパネル１２も、例えば、圧延鋼板等をプレス加工することで形成される。インナパネル１２には、ドアガラスＧの外周端部を収容したり、シール部材（図示せず）を保持したりするためのドアサッシュＳが溶接されている。
なお、アウタパネル１１とインナパネル１２との間には、電装部品（図示せず）や補強部材（図示せず）を収容するための空間Ａ（図７参照）が設けられている。
【００２７】
インナパネル１２には、前記した電装部品等を収容する際、空間Ａ（図７参照）に作業員が手を入れて作業を行うための作業孔Ｈ１，Ｈ２が設けられている。また、インナパネル１２は、作業孔Ｈ１，Ｈ２の縁（前後方向に沿う上縁）に沿って延びる補強ビード１２１（図５参照）を有している。補強ビード１２１は、作業孔Ｈ１，Ｈ２の縁よりも車内側に突出している。
【００２８】
（ドアホールシール）
図２に示すドアホールシール２は、インナパネル１２の作業孔Ｈ１，Ｈ２を塞ぐための部材であり、シート状を呈している。ドアホールシール２によって作業孔Ｈ１，Ｈ２を塞ぐことで、ドアガラスＧを伝わって下降した雨水が車室に浸入するのを防止したり、スピーカ音が車外に漏れるのを抑制したりすることができる。
ドアホールシール２は、作業孔Ｈ１，Ｈ２を覆うように配置される遮音材２１と、この遮音材２１に溶着されるフィルム部材２２と、を有している。なお、ドアホールシール２の詳細については後記する。
【００２９】
（インナハンドル装置）
インナハンドル装置３は、乗員による操作に応じてドア本体１を開閉するための装置であり、インナパネル１２に設置される。なお、インナハンドル装置３の詳細については、後記する。
【００３０】
（ドアライニング）
ドアライニング４は、インナパネル１２の車内側に設置される樹脂製部材である。ドアライニング４は、インナハンドル装置３の手入れ凹部３１１（図５参照）を車内側に露出されるための孔部Ｈ５を有している。
【００３１】
次に、ドアホールシール２の構成について詳細に説明する。図３は、ドアホールシールと、インナハンドル装置と、の位置関係を示す説明図である。
前記したように、ドアホールシール２は、遮音材２１と、フィルム部材２２と、を有している。
【００３２】
遮音材２１は、例えば、ＥＰＤＭ（エチレン‐プロピレン‐ジエンゴム）を主成分とする合成ゴムであり、遮音に適した厚さ・弾性を有している。遮音材２１は、インナパネル１２の壁面にフィルム部材２２が貼り付けられた状態で、少なくとも二つの作業孔Ｈ１，Ｈ２を塞ぐことが可能な大きさ・形状を呈している。
【００３３】
フィルム部材２２は、ドアホールシール２の接着状態を外部から視認するための樹脂部材であり、透明（又は半透明）のシート状を呈している。フィルム部材２２には、遮音材２１によって覆われる孔（図示せず）が形成されている。この孔を車内側から塞ぐようにフィルム部材２２に遮音材２１が重ね合わされた状態で、両者が溶着される。フィルム部材２２に遮音材２１が重ね合わされた状態において、フィルム部材２２の外周縁は、遮音材２１を囲んでいる。
【００３４】
なお、インナパネル１２には、ドアホールシール２の外周縁の形状に対応して、車外側に凹む溝Ｕ１（図４、図７参照）が形成されている。この溝Ｕ１に接着用シーラが塗布され、ドアホールシール２が車内側からインナパネル１２に貼り付けられる。
なお、ドアホールシール２の上端付近には、インナハンドル装置３に接続されるケーブルＣ１，Ｃ２（図４参照）を挿通するためのスリットＴ１が形成されている。
【００３５】
なお、後記するインナハンドル装置３がインナパネル１２に取り付られる際、後記する二つの取付孔Ｈ３を介してネジ（図示せず）が挿通される。この二つの取付孔Ｈ３と遮音材２１とが重ならないように、ドアホールシール２が配置されている。これによって、所定の厚みを有する遮音材２１に孔を設けたり、この孔と取付孔Ｈ３とを位置合わせしたりする手間を省くことができる。
【００３６】
図３に示すように、ドアホールシール２がインナパネル１２に貼り付けられ、さらに車内側からインナハンドル装置３が設置された状態において、ドアホールシール２は少なくとも当接リブ３４（図６、図７参照）とインナパネル１２との間に介在している。
前記した当接リブ３４とは、ライニング取付部３１３ａの後端部から車外側に延びるリブである。なお、当接リブ３４の詳細については後記する。
【００３７】
図４は、インナハンドル装置が設置されたインナパネルを車内側から視た正面図であり、図５は、インナハンドル装置付近を拡大した部分拡大図である。なお、図４、図５では、ドアホールシール２の図示を省略している。
インナハンドル装置３は、乗員による操作に応じてドア本体１を開閉するための装置であり、インナパネル１２に設置される。インナハンドル装置３は、主として、インナパネル１２に車内側から取り付けられる本体部３１（図５参照）と、この本体部３１に対して回動可能に設置される操作ハンドル３２（図５参照）と、本体部３１からインナパネル１２側に延びる当接リブ３４（図６、図７参照）と、を備えている。
【００３８】
図５に示すように、本体部３１は、インナパネル１２に設けられた作業孔Ｈ１の上方に配置されている。
本体部３１は、操作ハンドル３２が設置されるとともに車外側に凹む手入れ凹部３１１と、インナハンドル装置３をインナパネル１２に固定するためのインナパネル取付部３１２ａ，３１２ｂと、手入れ凹部３１１の周縁から作業孔Ｈ１に向かって延びるライニング取付部３１３ａ（延出部）と、を有している。また、本体部３１は、前記したライニング取付部３１３ａとは別に、二つのライニング取付部３１３ｂ，３１３ｃを有している。
【００３９】
手入れ凹部３１１は、板状を呈しており、乗員によって操作ハンドル３２が把持されやすくなるように車外側に凹んでいる。手入れ凹部３１１の周縁部には、ドアライニング４の壁面と略面一になるようにフランジＦが設けられている（図５参照）。
【００４０】
インナパネル取付部３１２ａは、前記したフランジＦの前端に連なっており、車外側に向かって突出している（図６参照）。他方のインナパネル取付部３１２ｂは、フランジＦの後端に連なっており、車外側に向かって突出している（図６参照）。それぞれのインナパネル取付部３１２ａ，３１２ｂには、車両内外方向に沿う取付孔Ｈ３が設けられている。
【００４１】
インナパネル取付部３１２ａ，３１２ｂの車外側端部をインナパネル１２に当接させた状態で、前記した取付孔Ｈ３を介してネジ（図示せず）が挿通されることで、本体部３１とインナパネル１２とが固定される。
【００４２】
ライニング取付部３１３ａは、ドアライニング４の車内側に設置されたクリップ（図示せず）に係止されることで、ドアライニング４とインナハンドル装置３との相対位置を固定するものである。
ライニング取付部３１３ａには、前記したクリップが差し込まれる矩形状の取付孔Ｈ４が形成されている。また、ライニング取付部３１３ａの後端部には、車外側（インナパネル１２側）に延びる当接リブ３４（図６参照）が設けられている。
【００４３】
図５、図６に示す別のライニング取付部３１３ｂは、フランジＦから前方に延びており、前記したインナパネル取付部３１２ａに連なっている。また、ライニング取付部３１３ｃは、フランジＦから上方に延びている。
これらのライニング取付部３１３ａ，３１３ｂ，３１３ｃは、ドアライニング４の孔部Ｈ５（図２参照）の周縁付近に取り付けられ、前記したクリップ（図示せず）に係止される。これによって、インナハンドル装置３とドアライニング４との間に隙間が発生することを防止できる。
【００４４】
図５に示す操作ハンドル３２は、フロントドアＤが開閉される際、乗員によって把持されるハンドルであり、後端を軸として回動可能に軸支されている。操作ハンドル３２には、回動された操作ハンドル３２を復帰させるように付勢するバネ部材（図示せず）が設置されている。
また、操作ハンドル３２は、二つのインナパネル取付部３１２ａ，３１２ｂを結ぶ直線Ｘよりも下側（作業孔Ｈ１側）に配置されている。
【００４５】
ロック操作部３３は、フロントドアＤを車内側から施錠／解錠する際、乗員によって操作される部材である。図５に示す例では、操作ハンドル３２の上方にロック操作部３３を設けるようにした。
なお、ドア開閉用のケーブルＣ１と、施錠用のケーブルＣ２は、ドアホールシール２のスリットＴ１（図３参照）を介して、ロック機構（図示せず）に接続されている。このロック機構は、アウタパネル１１とインナパネル１２との間の空間Ａ（図７参照）に設置されている。
【００４６】
図６は、インナハンドル装置を車外側から視た斜視図である。
図６に示す当接リブ３４は、前記したライニング取付部３１３ａ（図５参照）と一体成形されるリブであり、板状を呈している。当接リブ３４は、操作ハンドル３２の回動軸よりも後側に設置され（図５参照）、ライニング取付部３１３ａの後端部から車外側（インナパネル１２側）に延びている。
【００４７】
また、当接リブ３４は、操作ハンドル３２の回動軸を中心とする力のモーメントが作用した場合、この力のモーメントを打ち消す機能を有している。例えば、操作ハンドル３２の回動によってライニング取付部３１３ａを車外側に移動させる力のモーメントが作用した場合、当接リブ３４は、自身がドアホールシール２に当接するように車外側に長く延びている（図７参照）。
【００４８】
また、当接リブ３４は、ドアホールシール２を介して補強ビード１２１と対向しており（図７参照）、その先端は、ドアホールシール２を介して補強ビード１２１の壁面に近接している。
前記した力のモーメントによって当接リブ３４が車外側に移動（微動）した場合、剛性の高い補強ビード１２１から、ドアホールシール２を介して車内側に向かう抗力を受けるように当接リブ３４が配置されている。
【００４９】
図６に示すように、ライニング取付部３１３ａのうち前後方向に延びるリブＲ１、及びこのリブＲ１の前端に連なり上下方向に延びるリブＲ２と比較して、当接リブ３４は車外側に長く延びている（Ｌ１＞Ｌ２：図６参照）。また、当接リブ３４は、他のライニング取付部３１３ｂ，３１３ｃのリブと比較しても、車外側に長く延びている。
したがって、操作ハンドル３２の回動等に伴う力が発生した際、まず当接リブ３４がドアホールシール２に当接し、補強ビード１２１からの抗力が当接リブ３４に作用する。これによって、インナパネル１２に対するインナハンドル装置３の相対位置が安定かつ強固に固定される。
【００５０】
図７は、図４に示すII−II矢視端面図である。
図７に示すように、所定の厚さ・弾性を有する遮音材２１がインナパネル１２と当接リブ３４との間に介在している。したがって、当接リブ３４がインナパネル１２に接触することがなく、当該接触に伴う打音やインナパネル１２の損傷を防止できる。
【００５１】
図７に示すように、前記した補強ビード１２１は車内側に突出している（つまり、補強ビード１２１の車内側の壁面とドアホールシール２とが近接している）。換言すると、ドアホールシール２と、補強ビード１２１に近接している作業孔Ｈ１の縁と、が接触しにくくなっている。したがって、作業孔Ｈ１の縁との接触に起因するドアホールシール２の損傷を抑制できる。
【００５２】
また、当接リブ３４を有するライニング取付部３１３ａ（延出部：図３参照）が、作業孔Ｈ１に向かって下方に延びている。したがって、インナパネル１２と当接リブ３４との間に介在するドアホールシール２を徒に大型化する必要がなく、製造コストを削減できる。
【００５３】
＜作用・効果＞
本実施形態に係る車両用ドアＤでは、車両内外方向において、インナパネル１２と当接リブ３４との間にドアホールシール２（遮音材２１）が介在している。したがって、車両の振動等に伴いインナハンドル装置３が振動した場合でも、インナパネル１２と当接リブ３４との直接的な接触を抑制できる。また、所定の厚さ・弾性を有する遮音材２１がクッションの役割を果たすため、前記した接触で打音が発生したり、インナパネル１２の壁面が損傷したりすることを防止できる。
【００５４】
また、乗員による操作ハンドル３２の回動が本体部３１の壁面によって規制された際、力のモーメントによって当接リブ３４が車外側に移動（微動）し、剛性の高い補強ビード１２１からの抗力を受ける。これによって、前記した力のモーメントが打ち消され、インナハンドル装置３を安定かつ強固に固定できる。
【００５５】
また、当接リブ３４は、インナハンドル装置３がインナパネル１２に取り付けられた状態で、補強ビード１２１の壁面に対して略垂直に延びている（図７参照）。したがって、補強ビード１２１からの抗力が当接リブ３４に作用した際、この力を効果的に打ち消すことができる。
【００５６】
また、インナパネル取付部３１２ａ，３１２ｂの個数を二つにすることで、インナパネル取付部が三つの場合と比較して、インナハンドル装置３の部品点数及び製造コストを削減できる。
このようにインナパネル取付部３１２ａ，３１２ｂの個数を二つにすると、これらを結ぶ直線Ｘ（図５参照）を軸として、本体部３１を回転させる力が発生しやすくなる。この力は、直線Ｘよりも作業孔Ｈ１側の箇所を車外側に回転させ、反対側の箇所を車内側に回転させる力として作用する。
【００５７】
ここで、インナパネル取付部３１２ａ，３１２ｂを結ぶ直線Ｘよりも作業孔Ｈ１側に操作ハンドル３２が配置され、かつ、ライニング取付部３１３ａ（延出部：図５参照）が作業孔Ｈ１に向かって延びている。前記した力のモーメントによって当接リブ３４が車外側に移動（微動）し、ドアホールシール２を介して補強ビード１２１からの抗力を受ける。これによって、本体部３１を回転させる力を打ち消し、インナパネル１２に対してインナハンドル装置３を安定かつ強固に固定できる。
【００５８】
なお、補強ビード１２１は剛性が高く、かつ、この補強ビード１２１と当接リブ３４との間にドアホールシール２が介在しているため、インナパネル２が損傷するおそれはない。
また、当接リブ３４をライニング取付部３１３ａに設けることで、これらを別体とする場合と比較してインナハンドル装置３の構成を簡略化し、製造コストを削減できる。
【００５９】
≪変形例≫
以上、本発明に車両用ドア（フロントドアＤ）について前記実施形態により説明したが、本発明はこれらの記載に限定されるものではなく、種々の変更を行うことができる。
例えば、前記実施形態では、作業孔Ｈ１の縁に補強ビード１２１を設け、この補強ビード１２１と対向するように当接リブ３４を配置する場合について説明したが、これに限らない。すなわち、補強ビード１２１を省略し、その先端がドアホールシール２を介してインナパネル１２に臨むように当接リブ３４を配置してもよい。
【００６０】
また、前記実施形態では、ライニング取付部３１３ａ（延出部）に当接リブ３４を設ける場合について説明したが、これに限らない。例えば、ライニング取付部３１３ａとは別に、本体部３１からインナパネル１２に延びる当接リブを設けてもよい。
また、手入れ凹部３１１の周縁から作業孔Ｈ１に向かって延びる「延出部」をライニング取付部３１３ａとは別に設け、この「延出部」からインナパネル１２側に延びる当接リブを設けるようにしてもよい。この場合でも、当接リブが作業孔Ｈ１の近くに配置されるため、当接リブとインナパネル１２との間に介在するドアホールシール２を徒に大型化する必要がなくなる。
【００６１】
また、前記実施形態では、二つのインナパネル取付部３１２ａ，３１２ｂを設ける場合について説明したが、インナパネル取付部を三つ以上設けてもよい。
また、前記実施形態では、インナパネル１２に設けられる二つの作業孔Ｈ１，Ｈ２を
一つの遮音材２１で塞ぐようにしたが、これに限らない。すなわち、各作業孔を別々の遮音材で塞ぐようにしてもよい。
【００６２】
また、前記実施形態では、遮音材２１としてＥＰＤＭを用いる場合について説明したが、他の材料（例えば、綿）で遮音材２１を構成してもよい。
また、前記実施形態では、ヒンジ式のフロントドアＤ（車両用ドア）について説明したが、これに限らない。すなわち、スライド式ドアやガルウィング式ドア等、他の種類の車両用ドアにも前記実施形態を適用できる。
【符号の説明】
【００６３】
Ｄ  フロントドア（車両用ドア）
１  ドア本体
２  ドアホールシール
３  インナハンドル装置
４  ドアライニング
１０  ドア本体
１１  アウタパネル
１２  インナパネル
２１  遮音材
２２  フィルム部材
３１  本体部
３２  操作ハンドル
３３  ロック操作部
３４  当接リブ
１２１  補強ビード
３１１  手入れ凹部
３１２ａ，３１２ｂ  インナパネル取付部
３１３ａ  ライニング取付部（本体部、延出部）
Ｈ１  作業孔
Ｈ５  孔部
Ｘ  直線
【図１】
2015049903.tif 000003
【図２】
2015049903.tif 000004
【図３】
2015049903.tif 000005
【図４】
2015049903.tif 000006
【図５】
2015049903.tif 000007
【図６】
2015049903.tif 000008
【図７】
2015049903.tif 000009
【国際調査報告】
2015049903.tif 000010
2015049903.tif 000011
2015049903.tif 000012
2015049903.tif 000013